(57)【要約】【課題】空間における人の滞在状況を推定することができる通信システムを提供する。【解決手段】照明システム１００は、空間に設置された複数の照明装置２０のそれぞれと電波通信を行う無線通信部１１と、複数の照明装置２０のそれぞれとの電波通信によって得られる受信信号強度に基づいて、空間に含まれる複数のエリアそれぞれにおける人の滞在状況を推定する推定部１５とを備える。【選択図】図１
2020194667.tif 000002
【特許請求の範囲】
【請求項１】
空間に設置された複数の通信機器のそれぞれと電波通信を行う無線通信部と、
前記複数の通信機器のそれぞれとの前記電波通信によって得られる受信信号強度に基づいて、前記空間に含まれる複数のエリアそれぞれにおける人の滞在状況を推定する推定部とを備える
通信システム。
【請求項２】
前記推定部は、前記無線通信部と前記複数の通信機器のうちの１つの通信機器との電波通信によって得られる前記受信信号強度の振れ幅が基準振れ幅よりも大きくなる期間においては、前記複数のエリアのうち当該１つの通信機器の周辺に位置するエリアにおいて人が移動していると推定する
請求項１に記載の通信システム。
【請求項３】
前記推定部は、前記無線通信部と前記複数の通信機器のうちの１つの通信機器との電波通信によって得られる前記受信信号強度の振れ幅が基準振れ幅よりも大きくなる期間を特定し、かつ、特定された期間の前後における前記受信信号強度のレベル差が閾値よりも大きい場合には、前記複数のエリアのうち当該１つの通信機器の周辺に位置するエリアにおいて人が滞在していると推定する
請求項１または２に記載の通信システム。
【請求項４】
前記推定部は、前記人の滞在状況として、前記複数のエリアそれぞれにおける人の混雑状況を推定する
請求項１〜３のいずれか１項に記載の通信システム。
【請求項５】
さらに、推定された人の滞在状況を示す情報を情報提供システムへ送信するための通信部を備え、
前記情報提供システムは、前記通信部によって送信された前記情報を受信し、当該情報を情報端末に提供する
請求項１〜４のいずれか１項に記載の通信システム。
【請求項６】
さらに、前記複数のエリアの少なくとも１つにおける人の滞在状況の通知を行う通知部を備える
請求項１〜５のいずれか１項に記載の通信システム。
【請求項７】
前記複数の通信機器のそれぞれは、前記空間に設置された照明装置であり、
前記通知部は、前記複数のエリアのうち前記推定部によって人が滞在していないと推定されるエリアを照明する前記照明装置である第一照明装置を制御することにより前記通知を行い、
前記制御は、前記第一照明装置を、前記複数のエリアのうち前記推定部によって人が滞在していると推定されるエリアを照明する前記照明装置である第二照明装置と異なる態様で発光させる、または、前記第一照明装置を消灯する制御である
請求項６に記載の通信システム。
【請求項８】
前記通知部は、前記第一照明装置が複数存在する場合に、所定の優先順位に基づいて複数の前記第一照明装置のうちの一部に対して前記制御を行う
請求項７に記載の通信システム。
【請求項９】
前記所定の優先順位は、複数の前記照明装置の位置関係に基づいて定められる
請求項８に記載の通信システム。
【請求項１０】
前記通知部は、前記第一照明装置が複数存在する場合に、
前記無線通信部と複数の前記照明装置のうち特定の照明装置との電波通信によって得られる前記受信信号強度の振れ幅が基準振れ幅よりも大きくなるタイミングを検出し、
複数の前記第一照明装置のうち前記タイミングに最も近いタイミングで前記受信信号強度の振れ幅が基準振れ幅よりも大きくなる前記第一照明装置に対して前記制御を行う
請求項７に記載の通信システム。
【請求項１１】
前記推定部は、さらに、前記複数の通信機器のそれぞれについて、前記無線通信部と当該通信機器との電波通信によって得られる前記受信信号強度の振れ幅が基準振れ幅よりも大きくなるタイミングを検出し、検出されたタイミングに基づいて、前記複数の通信機器の設置位置を推定する
請求項１〜１０のいずれか１項に記載の通信システム。
【請求項１２】
前記推定部は、さらに、前記複数の通信機器のそれぞれについて、前記無線通信部と当該通信機器との電波通信によって得られる前記受信信号強度の振れ幅が基準振れ幅よりも大きくなる頻度を検出し、検出された頻度に基づいて、前記複数の通信機器の設置位置を推定する
請求項１〜１０のいずれか１項に記載の通信システム。
【請求項１３】
前記推定部は、さらに、前記複数の通信機器のそれぞれについて、前記無線通信部と当該通信機器との電波通信によって得られる前記受信信号強度の振れ幅が基準振れ幅よりも大きくなる期間の前後における前記受信信号強度のレベル差が閾値よりも大きくなる頻度を検出し、検出された頻度に基づいて、前記複数の通信機器の設置位置を推定する
請求項１〜１０のいずれか１項に記載の通信システム。
【請求項１４】
前記空間は、複数の座席が設置された、店舗内の閉空間である
請求項１〜１３のいずれか１項に記載の通信システム。
【請求項１５】
複数の通信システムのそれぞれから、当該通信システムが設置された店舗の混雑状況を示す情報を受信する受信部と、
受信された前記店舗の混雑状況を示す情報に基づいて、複数の前記店舗の少なくとも一部の混雑状況を情報端末に提供する情報処理部とを備え、
前記複数の通信システムのそれぞれは、
前記店舗の中に設置された複数の通信機器のそれぞれと電波通信を行う無線通信部と、
前記複数の通信機器のそれぞれとの前記電波通信によって得られる受信信号強度に基づいて、前記店舗の中における人の混雑状況を推定する推定部と、
推定された人の混雑状況を示す情報を送信する通信部とを備える
情報提供システム。
【請求項１６】
さらに、受信された前記店舗の混雑状況を示す情報に基づいて、当該店舗の混雑状況を、曜日、及び、時間帯と対応付けて記憶する記憶部を備える
請求項１５に記載の情報提供システム。
【請求項１７】
前記記憶部には、さらに、前記情報端末のユーザが指定する店舗の識別情報が記憶され、
前記情報処理部は、前記記憶部を参照することにより、前記ユーザが指定する店舗が空いていると判定した場合に、前記情報端末に通知を行う
請求項１６に記載の情報提供システム。
【請求項１８】
コンピュータによって実行される推定方法であって、
空間に設置された複数の通信機器のそれぞれと電波通信を行い、
前記複数の通信機器のそれぞれとの前記電波通信によって得られる受信信号強度に基づいて、前記空間に含まれる複数のエリアそれぞれにおける人の滞在状況を推定する
推定方法。
【発明の詳細な説明】
【技術分野】
【０００１】
本発明は、通信システム、情報提供システム、及び、推定方法に関する。
【背景技術】
【０００２】
照明装置を無線通信によって制御する照明システムが知られている。このような照明システムの一例として、特許文献１には、簡単に設置でき、かつ、部屋内の人の状態によって照度制御が可能な照度制御システムが開示されている。
【先行技術文献】
【特許文献】
【０００３】
【特許文献１】特開２００９−８７８３４号公報
【発明の概要】
【発明が解決しようとする課題】
【０００４】
本発明は、空間における人の滞在状況を推定することができる通信システム、及び、推定方法を提供する。
【課題を解決するための手段】
【０００５】
本発明の一態様に係る通信システムは、空間に設置された複数の通信機器のそれぞれと電波通信を行う無線通信部と、前記複数の通信機器のそれぞれとの前記電波通信によって得られる受信信号強度に基づいて、前記空間に含まれる複数のエリアそれぞれにおける人の滞在状況を推定する推定部とを備える。
【０００６】
本発明の一態様に係る情報提供方法は、複数の通信システムのそれぞれから、当該通信システムが設置された店舗の混雑状況を示す情報を受信する受信部と、受信された前記店舗の混雑状況を示す情報に基づいて、複数の前記店舗の少なくとも一部の混雑状況を情報端末に提供する情報処理部とを備え、前記複数の通信システムのそれぞれは、前記店舗の中に設置された複数の通信機器のそれぞれと電波通信を行う無線通信部と、前記複数の通信機器のそれぞれとの前記電波通信によって得られる受信信号強度に基づいて、前記店舗の中における人の混雑状況を推定する推定部と、推定された人の混雑状況を示す情報を送信する通信部とを備える。
【０００７】
本発明の一態様に係る推定方法は、コンピュータによって実行される推定方法であって、空間に設置された複数の通信機器のそれぞれと電波通信を行い、前記複数の通信機器のそれぞれとの前記電波通信によって得られる受信信号強度に基づいて、前記空間に含まれる複数のエリアそれぞれにおける人の滞在状況を推定する。
【発明の効果】
【０００８】
本発明によれば、空間における人の滞在状況を推定することができる通信システム、及び、推定方法が実現される。
【図面の簡単な説明】
【０００９】
【図１】図１は、実施の形態１に係る照明システムの機能構成を示すブロック図である。
【図２】図２は、複数の照明装置の配置の一例を示す平面図である。
【図３】図３は、複数の照明装置の配置の一例を示す側面図である。
【図４】図４は、複数の照明装置のそれぞれが照明制御装置から受信した電波の受信信号強度の時間変化を示す図である。
【図５】図５は、閉空間内を人が静止及び移動を繰り返す動作を説明するための図である。
【図６】図６は、このような動作が行われたときの照明装置における受信信号強度の時間変化を示す図である。
【図７】図７は、実施の形態１に係る照明システムの初期設定動作のシーケンス図である。
【図８】図８は、実施の形態１に係る照明システムの人の滞在状況の推定動作のシーケンス図である。
【図９】図９は、推定処理のフローチャートである。
【図１０】図１０は、空き座席を示す画像の一例を示す図である。
【図１１】図１１は、混雑状況を示す画像の一例を示す図である。
【図１２】図１２は、実施の形態１に係る照明システムの空き座席の通知動作の概要を説明するための図である。
【図１３】図１３は、実施の形態１に係る照明システムの空き座席の通知動作のフローチャートである。
【図１４】図１４は、実施の形態１に係る照明システムの空き座席の通知動作の変形例１のフローチャートである。
【図１５】図１５は、実施の形態１に係る照明システムの空き座席の通知動作の変形例２のフローチャートである。
【図１６】図１６は、フェージングの発生タイミングに基づいて照明装置の設置位置を推定する動作を説明するための第１の図である。
【図１７】図１７は、フェージングの発生タイミングに基づいて照明装置の設置位置を推定する動作を説明するための第２の図である。
【図１８】図１８は、座席が設置されたエリアと通路として使用されるエリアとが含まれる閉空間を示す模式図である。
【図１９】図１９は、実施の形態２に係る情報提供システムの機能構成を示すブロック図である。
【図２０】図２０は、実施の形態２に係る情報提供システムの動作のフローチャートである。
【図２１】図２１は、店舗の混雑状況を示す画像の一例を示す図である。
【図２２】図２２は、店舗の混雑状況がプッシュ通知されたときの情報端末の画面の一例を示す図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［概要］
まず、実施の形態１に係る照明システムの構成について説明する。図１は、実施の形態１に係る照明システムの機能構成を示すブロック図である。
【００１３】
図１に示されるように、実施の形態１に係る照明システム１００は、照明制御装置１０と、複数の照明装置２０と、設定装置３０とを備える。照明制御装置１０は、複数の照明装置２０のそれぞれに電波通信を用いて制御信号を送信することにより、複数の照明装置２０の発光制御（点灯、消灯、調光、及び、調色など）を行う。複数の照明装置２０は、例えば、飲食店などの店舗の天井に配置される。図２は、複数の照明装置２０の配置の一例を示す平面図である。図２においては、天井に配置された照明装置２０の位置が丸印で示されている。
【００１４】
上述のように、照明制御装置１０と、複数の照明装置２０のそれぞれとは、電波通信を行う機能を有している。照明システム１００は、このような電波通信を行う機能を利用して、レストランなどの店舗の中の閉空間９０における人の滞在状況を推定することができる。
【００１５】
照明システム１００は、具体的には、照明制御装置１０が送信した電波の複数の照明装置２０のそれぞれにおける受信信号強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）に基づいて、人の滞在状況の推定を行う。以下、人の滞在状況を推定するための発明者らの知見について説明する。図３は、閉空間９０における複数の照明装置２０の配置の一例を示す側面図である。図３に示される照明装置Ａ〜Ｃのそれぞれは、照明装置２０に相当する。図４は、閉空間９０において照明装置Ａ〜Ｃのそれぞれが照明制御装置１０から受信した電波の受信信号強度の時間変化を示す図である。
【００１６】
図４に示されるように、照明装置Ａにおける受信信号強度の振れ幅は、人が照明装置Ａの下方のエリア（照明装置Ａの近傍のエリア、照明装置Ａの周辺のエリア、照明装置Ａの光の照射エリア、などと言い換えられる）に位置し、かつ、移動しているときに大きく変動する。同様に、照明装置Ｂにおける受信信号強度の振れ幅は、人が照明装置Ｂの下方に位置し、かつ、移動しているときに大きく変動し、照明装置Ｃにおける受信信号強度の振れ幅は、人が照明装置Ｃの下方に位置し、かつ、移動しているときに大きく変動する。
【００１７】
以下の明細書中では、このように受信信号強度の振れ幅が大きくなる（具体的には、所定の基準振れ幅よりも大きくなる）現象をフェージングと呼ぶ。このように照明システム１００は、フェージングが発生した照明装置２０の下方のエリアにおいては、人が移動していると推定することができる。
【００１８】
また、図５は、閉空間９０内の照明制御装置１０から照明装置Ｃに向かう方向に沿って人が静止（例えば２０秒間の静止）及び移動を繰り返す動作を説明するための図であり、図６は、このような動作が行われたときの照明装置Ａにおける受信信号強度の時間変化を示す図である。図５では、閉空間９０のうち照明装置Ａ〜Ｃの直下のエリアがそれぞれエリアＡ〜Ｃと記載され、閉空間９０のうち照明制御装置１０の直下のエリアがエリアＤと記載される。
【００１９】
図５に示されるように、人がエリアＤで２０秒程度静止した後、エリアＡに移動して２０秒程度静止し、その後エリアＢに移動して２０秒程度静止し、その後エリアＣに移動して２０秒程度静止するとする。この場合、照明装置Ａにおける受信信号強度の時間変化は、図６のようになる。
【００２０】
図６に示されるように、人がエリアＤからエリアＡに移動して静止しているときには、フェージングの発生前後における受信信号強度のレベル差ＬＤが大きくなる。つまり、照明システム１００は、フェージングの発生前後における照明装置Ａの受信信号強度のレベル差ＬＤが閾値よりも大きい場合には、照明装置Ａの直下のエリアＡに人が滞在していると推定することができる。なお、レベル差ＬＤは、より具体的には、例えば、フェージング発生前の期間における受信信号強度の平均値と、フェージング発生後の期間における受信信号強度の平均値との差である。
【００２１】
また、発明者らの検討によれば、レベル差ＬＤが大きければ大きいほど、多くの人が滞在していると推定することができる。そこで、照明システム１００は、レベル差ＬＤと複数の段階的な閾値とを比較することにより、各エリアにおける人の滞在人数（言い換えれば、大まかな人の量）を推定することもできる。
【００２２】
以上説明したように、照明システム１００は、店舗の中の人の滞在状況を推定することができる。照明システム１００は、例えば、店舗の中の複数のエリアがどの程度混雑しているかを可視化、及び、通知することができる。
【００２３】
［照明システムの具体的構成］
以下、照明システム１００が備える各構成要素について引き続き図１を参照しながら詳細に説明する。まず、照明制御装置１０の構成について説明する。照明制御装置１０は、複数の照明装置２０のそれぞれに制御信号を送信することにより、複数の照明装置２０の発光制御を行う。照明制御装置１０は、無線通信部１１と、制御部１２と、通信部１３と、記憶部１４とを備える。
【００２４】
無線通信部１１は、照明制御装置１０が局所通信ネットワークを通じて照明装置２０と電波通信を行うための無線通信回路である。無線通信部１１は、例えば、制御部１２の制御に基づいて、複数の照明装置２０のそれぞれに当該照明装置２０を発光制御するための制御信号を送信する。また、無線通信部１１は、閉空間９０における人の滞在状況を推定するために、受信信号強度の計測用の電波を発する。この電波の周波数は、例えば、７００ＭＨｚ以上２．４ＧＨｚ以下である。なお、電波には、可視光及び赤外線は含まれない。また、無線通信部１１は、照明装置２０における電波の受信信号強度を示す受信信号強度情報を取得する。
【００２５】
制御部１２は、複数の照明装置２０の発光制御、及び、閉空間９０における人の滞在状況を推定するための情報処理を行う。制御部１２は、具体的には、推定部１５及び通知部１６を有する。制御部１２は、例えば、マイクロコンピュータによって実現されるが、プロセッサまたは専用回路によって実現されてもよい。
【００２６】
通信部１３は、照明制御装置１０が、インターネット８０などの広域通信ネットワークを通じて情報提供システム４０等と通信を行うための通信回路である。通信部１３によって行われる通信は、無線通信であってもよいし、有線通信であってもよい。通信に用いられる通信規格についても特に限定されない。
【００２７】
記憶部１４は、制御部１２が実行する制御プログラム等が記憶される記憶装置である。記憶部１４は、例えば、半導体メモリなどによって実現される。
【００２８】
次に、照明装置２０について説明する。照明装置２０は、通信機器の一例である。図１では詳細には図示されていないが、照明装置２０は、照明制御装置１０と電波通信を行うための無線通信回路（言い換えれば、無線通信モジュール）、及び、ＬＥＤなどの発光素子によって実現される光源（言い換えれば、発光モジュール）などによって実現される。照明装置２０は、例えば、ダウンライトであるが、照明装置２０の具体的態様は、特に限定されない。
【００２９】
照明装置２０は、照明制御装置１０から送信される制御信号に基づいて、点灯し、消灯し、調光され、または、調色される。また、照明装置２０は、照明制御装置１０から受信信号強度の計測用の電波を受信すると、受信信号強度を計測し、計測した受信信号強度を示す受信信号強度情報を照明制御装置１０に送信する。
【００３０】
次に、設定装置３０について説明する。設定装置３０は、ユーザが照明システム１００を動作させるための事前設定を行うために操作するユーザインタフェース装置である。設定装置３０は、例えば、スマートフォンまたはタブレット端末などの汎用の情報端末によって実現されるが、専用の情報端末であってもよい。
【００３１】
［情報提供システム］
次に、情報提供システム４０について説明する。情報提供システム４０は、照明システム１００と連携し、閉空間９０の中の複数のエリアのそれぞれにおける人の滞在状況（言い換えれば、人の混雑状況）を示す情報を情報端末５０に提供する。情報提供システム４０は、例えば、単一の装置（例えば、単一のサーバ装置）によって実現されるが、複数の装置によって実現されてもよい。情報提供システム４０は、具体的には、通信部４１と、情報処理部４２と、記憶部４３とを備える。
【００３２】
通信部４１は、情報提供システム４０が、インターネット８０などの広域通信ネットワークを通じて照明制御装置１０及び情報端末５０等と通信を行うための通信回路である。通信部４１によって行われる通信は、無線通信であってもよいし、有線通信であってもよい。通信に用いられる通信規格についても特に限定されない。通信部４１は、受信部４４を有する。
【００３３】
情報処理部４２は、閉空間９０の中の複数のエリアのそれぞれにおける人の滞在状況（言い換えれば、人の混雑状況）を情報端末５０に通知するための情報処理を行う。情報処理部４２は、例えば、マイクロコンピュータによって実現されるが、プロセッサまたは専用回路によって実現されてもよい。
【００３４】
記憶部４３は、情報処理部４２が情報端末５０への通知に際して実行するコンピュータプログラム等が記憶される記憶装置である。記憶部４３は、例えば、半導体メモリなどによって実現される。
【００３５】
［情報端末］
次に、情報端末５０について説明する。情報端末５０は、情報提供システム４０から閉空間９０における人の滞在状況を示す情報の提供を受け、人の滞在状況を示す情報を可視化する（つまり、画像として表示する）情報端末である。情報端末５０は、具体的には、スマートフォンまたはタブレット端末などの携帯型の端末であり、液晶パネルまたは有機ＥＬパネルなどの表示パネルによって実現される表示部５１を備える。情報端末５０は、パーソナルコンピュータなどの据え置き型の情報端末であってもよい。
【００３６】
［初期設定動作］
次に、照明システム１００によって行われる初期設定動作について説明する。図７は、初期設定動作のシーケンス図である。なお、図７のシーケンス図は、照明装置２０が１つだけ図示されているが、図７において照明制御装置１０と照明装置２０との間で行われる処理については、照明装置２０と他の複数の照明装置２０との間においても同様に行われる。
【００３７】
まず、設定装置３０は、初期設定操作を受け付ける（Ｓ１１）。初期設定操作は、複数の照明装置２０の設置位置（例えば、閉空間９０における座標）と、複数の照明装置２０の識別情報とを対応付けるための操作であり、例えば、複数の照明装置２０の設置者によって行われる。初期設定操作が行われると、複数の照明装置２０の設置位置と、複数の照明装置の識別情報とが対応付けられた設定情報が設定装置３０から照明制御装置１０の無線通信部１１に送信され（Ｓ１２）、無線通信部１１によって受信された設定情報は、制御部１２によって記憶部１４に記憶される（Ｓ１３）。
【００３８】
設定情報が記憶された後、照明制御装置１０は、照明装置２０においてフェージングが発生しているか否かを判定するための基準振れ幅の算出処理を行う。上述のように、照明システム１００においては、照明装置２０の受信信号強度の振れ幅が基準振れ幅よりも大きい場合には、フェージングが発生していると判定される。
【００３９】
照明制御装置１０の制御部１２は、無線通信部１１に受信信号強度の計測要求を送信させる（Ｓ１４）。言い換えれば、制御部１２は、受信信号強度の計測用の電波を無線通信部１１に送信させる。
【００４０】
照明装置２０は、無線通信部１１によって送信された計測要求を受信すると、受信信号強度を計測し（Ｓ１５）、計測された受信信号強度を示す受信信号強度情報と、照明装置２０のＩＤとを送信する（Ｓ１６）。
【００４１】
照明制御装置１０の制御部１２は、無線通信部１１によって受信信号強度情報及び照明装置２０のＩＤが受信されると、受信信号強度情報に基づいて基準振れ幅を算出する（Ｓ１７）。制御部１２は、例えば、受信信号強度情報に基づいて受信信号強度の所定期間における振れ幅の平均値を算出し、算出した振れ幅の平均値に所定値を加算した値を基準振れ幅として算出する。
【００４２】
次に、制御部１２は、算出した基準振れ幅をステップＳ１６で受信した照明装置２０のＩＤと対応付けて記憶部１４に記憶する（Ｓ１８）。ステップＳ１４〜ステップＳ１８の処理は、照明システム１００に含まれる他の複数の照明装置２０に対しても行われ、この結果、記憶部１４には、照明システム１００に含まれる全ての照明装置２０の基準振れ幅が判定基準情報として記憶される。
【００４３】
［人の滞在状況の推定動作］
次に、照明システム１００によって行われる人の滞在状況の推定動作について説明する。図８は、人の滞在状況の推定動作のシーケンス図である。なお、以下では、図５のように１つの照明装置２０の下方に１つのエリアがあるものとして説明が行われるが、照明装置２０とエリアが１対１で対応することは必須ではない。
【００４４】
まず、照明制御装置１０の推定部１５は、無線通信部１１に受信信号強度の計測要求を送信させる（Ｓ２１）。言い換えれば、推定部１５は、受信信号強度の計測用の電波を無線通信部１１に送信させる。
【００４５】
照明装置２０は、無線通信部１１によって送信された計測要求を受信すると、受信信号強度を計測し（Ｓ２２）、計測された受信信号強度を示す受信信号強度情報と、照明装置２０のＩＤとを送信する（Ｓ２３）。
【００４６】
照明制御装置１０の推定部１５は、無線通信部１１によって受信信号強度情報及び照明装置２０のＩＤが受信されると、推定処理を行う（Ｓ２４）。図９は、推定処理のフローチャートである。制御部１２は、受信信号強度情報によって特定される現在の受信信号強度の振れ幅が、当該照明装置２０の基準振れ幅よりも大きいか否かを判定する（Ｓ２４ａ）。当該照明装置２０の基準振れ幅は、ステップＳ２３において受信された照明装置２０のＩＤに基づいて記憶部１４に記憶された判定基準情報を参照することにより特定される。
【００４７】
推定部１５は、現在の受信信号強度の振れ幅が基準振れ幅よりも大きい（つまり、フェージングが発生している）と判定すると（Ｓ２４ａでＹｅｓ）、当該照明装置２０の下方のエリアを人が移動していると推定する（Ｓ２４ｂ）。一方、推定部１５は、現在の受信信号強度の振れ幅が基準振れ幅以下（つまり、フェージングが発生していない）と判定すると（Ｓ２４ａでＮｏ）、受信信号強度情報に基づいて、直近でフェージングが発生した期間を特定し（Ｓ２４ｃ）、特定した期間の前後における受信信号強度のレベル差（例えば、図６のレベル差ＬＤ）が閾値よりも大きいか否かを判定する（Ｓ２４ｄ）。
【００４８】
推定部１５は、受信信号強度のレベル差が閾値よりも大きいと判定すると（Ｓ２４ｄでＹｅｓ）、当該照明装置２０の下方のエリアに人が滞在（静止）していると推定する（Ｓ２４ｅ）。一方、推定部１５は、受信信号強度のレベル差が閾値以下であると判定すると（Ｓ２４ｄでＮｏ）、当該照明装置２０の下方のエリアに人が滞在していない（不在である）と推定する（Ｓ２４ｆ）。
【００４９】
このような推定処理が全ての照明装置２０を対象として行われると、閉空間９０の中の複数のエリアのそれぞれにおける人の滞在状況（人が移動中か、人が滞在中か、人が不在か）が推定結果として得られる。推定部１５は、このような閉空間９０の中の人の滞在状況を示す情報を通信部１３に情報提供システム４０へ送信させる（Ｓ２５）。
【００５０】
情報提供システム４０の情報処理部４２は、通信部４１によって閉空間９０の中の人の滞在状況を示す情報が受信されると、当該情報を記憶部４３に記憶する（Ｓ２６）。そして、情報端末５０からの要求などに応じて、当該情報を情報端末５０に提供する（Ｓ２７）。なお、情報端末５０が局所通信ネットワークを通じて照明制御装置１０と直接通信できる場合には、照明制御装置１０から情報端末５０に直接情報が提供されてもよい。
【００５１】
このような情報の提供を受けた情報端末５０は、閉空間９０における人の滞在状況を画像として表示部５１に表示することができる（Ｓ２８）。例えば、閉空間９０がレストランの中の閉空間であるような場合、情報端末５０は、人が不在であると判定されたエリアに含まれる座席を空き座席とみなして、空き座席を示す画像を表示することができる。図１０は、空き座席を示す画像の一例を示す図である。なお、図１０の画像が表示される情報端末５０は、一般ユーザがレストランの空き座席の状況を事前に把握するために使用してもよいし、レストランの店員が来店した一般ユーザを空き座席に案内するために使用してもよい。
【００５２】
以上説明したように、照明システム１００は、複数の照明装置２０のそれぞれとの電波通信によって得られる受信信号強度に基づいて、閉空間９０に含まれる複数のエリアそれぞれにおける人の滞在状況を推定することができる。
【００５３】
なお、照明システム１００は、閉空間９０における人の混雑情報を推定することもできる。上述のように、推定部１５は、フェージングが発生した期間の前後における受信信号強度のレベル差が大きいほど、そのエリアに多くの人が滞在していると推定することができる。つまり、そのエリアが混雑していると推定することができる。そうすると、推定部１５は、複数のエリアのそれぞれの人の混雑度合いを示す情報を得ることができ、このような情報を、情報提供システム４０を介して情報端末５０に提供することができる。
【００５４】
このような情報の提供を受けた情報端末５０は、閉空間９０における人の混雑状況を画像として表示部５１に表示することができる。例えば、閉空間９０が市役所の中の閉空間であるような場合、情報端末５０は、市役所の中の混雑状況を示す画像（例えば、ヒートマップ形式の画像）を表示することができる。図１１は、混雑状況を示す画像の一例を示す図である。
【００５５】
［空き座席の通知動作］
次に、照明システム１００によって行われる人の空き座席の通知動作について説明する。図１２は、空き座席の通知動作の概要を説明するための図である。
【００５６】
空き座席の通知動作において、照明システム１００は、まず、店舗の入り口付近に人がいるかどうかを検出する（図１２の（ａ））。照明システム１００は、具体的には、上述の人の滞在状況の推定処理を利用して店舗の入り口に位置する特定の照明装置２０（例えば、図１２の照明装置Ａ）の下方のエリアに人がいることを検出する。
【００５７】
次に、照明システム１００は、閉空間９０の中の複数のエリアのそれぞれにおける人の滞在状況を示す情報を取得に基づいて、空き座席の上方に位置する照明装置を点滅させる（図１２の（ｂ））。これにより、照明システム１００は、店舗に入ってきた人（来店者）に、空き座席の場所を通知することができる。以下、このような動作について図１３のフローチャートを参照しながら詳しく説明する。図１３は、空き座席の通知動作のフローチャートである。
【００５８】
まず、照明制御装置１０の推定部１５は、複数の照明装置２０のそれぞれとの電波通信によって得られる受信信号強度に基づいて、閉空間９０に含まれる複数のエリアそれぞれにおける人の滞在状況を推定し（Ｓ３１）、推定された人の滞在状況を示す情報を記憶部１４に記憶する（Ｓ３２）。推定部１５による人の滞在状況の推定方法については上述の通りである。
【００５９】
次に、通知部１６は、記憶部１４に記憶された人の滞在状況を示す情報を参照することにより、店舗の入り口付近に位置する特定の照明装置２０（例えば、図１２の照明装置Ａ）の下方のエリアに人がいるか否かを判定する（Ｓ３３）。通知部１６は、具体的には、記憶部１４に記憶された人の滞在状況を示す情報を参照し、当該エリアにおける人の滞在状況が、「人が移動中」または「人が滞在中」である場合に当該エリアに人がいると判定する。通知部１６は、店舗の入り口付近に位置する特定の照明装置２０の下方のエリアに人がいないと判定すると（Ｓ３３でＮｏ）、通知を行わない。
【００６０】
一方、通知部１６は、店舗の入り口付近に位置する特定の照明装置２０の下方のエリアに人がいると判定すると（Ｓ３３でＹｅｓ）、記憶部１４に記憶された人の滞在状況を示す情報を参照することにより、「人が不在」であるエリアを照明する照明装置２０（言い換えれば、「人が不在」であるエリアの上方に位置する照明装置２０）を選択する（Ｓ３４）。
【００６１】
選択された照明装置２０の下方のエリアには、空き座席があると推定される。そこで、通知部１６は、選択した照明装置２０を点滅させて人が不在のエリア（つまり、空き座席があるエリア）を通知する（Ｓ３５）。通知部１６は、具体的には、選択した照明装置２０を点滅させるための制御信号を、無線通信部１１に送信させる。
【００６２】
なお、ステップＳ３５では、選択した照明装置２０が他の照明装置２０と異なる態様となるように制御されることで通知が行われればよい。例えば、他の照明装置２０が全て点灯している場合には、選択した照明装置２０は消灯されてもよいし、選択した照明装置２０を他の照明装置２０と異なる色で発光させてもよいし、選択した照明装置２０を他の照明装置２０と異なる明るさで発光させてもよい。つまり、通知部１６は、選択した照明装置２０を、他の照明装置２０（言い換えれば、推定部１５によって人が滞在している推定されるエリアを照明する照明装置２０）と異なる態様で発光させる制御、または、選択した照明装置２０を消灯する制御を行えばよい。
【００６３】
このように、照明システム１００は、閉空間９０に含まれる複数のエリアの少なくとも１つにおける人の滞在状況（具体的には、人が不在であって空き座席がある状況）の通知を行うことができる。
【００６４】
なお、ステップＳ３４において複数の照明装置２０が選択された場合、ステップＳ３５では複数の照明装置２０が点滅することになり、店舗に入ってきた人はどのエリア（座席）へ向かえばよいか判断に迷う可能性がある。そこで、ステップＳ３４において複数の照明装置２０が選択された場合、選択された複数の照明装置２０がさらに絞り込まれてもよい。例えば、照明システム１００に含まれる全ての照明装置２０にあらかじめ優先順位が定められ、選択された複数の照明装置２０のうち比較的優先順位が高い一部の照明装置２０のみ（例えば、最も優先順位が高い照明装置２０のみ）が点滅してもよい。図１４は、このような空き座席の通知動作の変形例１のフローチャートである。
【００６５】
図１４の例では、ステップＳ３４において複数の照明装置２０が選択された後（Ｓ３４）、通知部１６は、記憶部１４にあらかじめ記憶された優先順位に基づいて、選択された照明装置２０の一部を対象照明装置として選択する（Ｓ３６）。優先順位は、例えば、複数の照明装置２０の位置関係に基づいて定められる。例えば、入り口の近くに位置する照明装置２０ほど優先順位が高くなる。優先順位は、複数の照明装置２０の位置関係に基づいて定められる必要はなく、どのように定められてもよい。対象照明装置は、１つの場合もあるし、複数の場合もある。
【００６６】
その後、通知部１６は、選択した対象照明装置を点滅させる（Ｓ３７）。このように、点滅する照明装置２０がさらに絞り込まれれば、店舗に入ってきた人がどのエリア（座席）へ向かえばよいかを判断しやすくなる。
【００６７】
また、空き座席が複数ある場合にどの空き座席を通知するかの決定方法は、優先順位に基づく方法に限定されない。例えば、照明システム１００は、フェージングの発生タイミングを検出することで、店舗に入ってきた人に入り口に近い空き座席を通知することも可能である。図１５は、このような空き座席の通知動作の変形例２のフローチャートである。
【００６８】
図１５の例では、ステップＳ３４において複数の照明装置２０が選択された後（Ｓ３４）、通知部１６は、特定の照明装置２０のフェージングの発生タイミングと、選択された照明装置２０のフェージングの発生タイミングを検出する（Ｓ３８）。フェージングの発生タイミングは、言い換えれば、受信信号強度の振れ幅が基準振れ幅よりも大きくなるタイミングである。例えば、照明システム１００に含まれる全ての照明装置２０の受信信号強度の経時変化を示す情報が記憶部１４に記憶されていれば、通知部１６はこのような情報を参照してフェージングの発生タイミングを検出することができる。
【００６９】
次に、通知部１６は、選択された照明装置２０のうち、特定の照明装置２０とフェージングの発生タイミングが最も近い照明装置２０を対象照明装置として選択する（Ｓ３９）。特定の照明装置２０とフェージングの発生タイミングが最も近い照明装置２０は、特定の照明装置２０の近くに位置する可能性が高いと考えられる。つまり、対象照明装置は、入り口の近くに位置し、かつ、人が不在のエリア（空き座席）を照明していると考えられる。
【００７０】
そこで、通知部１６は、選択した対象照明装置を点滅させる（Ｓ４０）。このように、照明システム１００は、フェージングの発生タイミングに基づいて、点滅する照明装置２０をさらに絞り込むこともできる。
【００７１】
［照明装置の設置位置の推定］
ところで、照明システム１００は、フェージングの発生タイミングに基づいて照明装置２０の設置位置を推定することもできる。図１６及び図１７は、フェージングの発生タイミングに基づいて照明装置２０の設置位置を推定する動作を説明するための図である。図１７は、図１６に示されるように照明装置Ａ及び照明装置Ｂが設置されているシチュエーションにおける、照明装置Ａ及び照明装置Ｂの受信信号強度の経時変化を示す図である。
【００７２】
例えば、図１６に示されるように、照明装置Ａ及び照明装置Ｂが並んで設置され、人が照明装置Ａの下方のエリアを通って、照明装置Ｂの下方のエリアに向かうシチュエーションが考えられる。このようなシチュエーションでは、図１７に示されるように、照明装置Ａにおいてフェージングが発生した後、照明装置Ｂにおいてフェージングが発生する。推定部１５は、このようなフェージングの発生タイミングを検出し、検出したタイミングに基づいて複数の照明装置２０の設置位置（並び）を推定することができる。上記実施の形態１では、初期設定動作において照明装置２０のＩＤと設置位置との対応付けが行われた。ここで、照明装置のＩＤのみが既知であり、設置位置が不明であるような場合には、推定部１５は、フェージングの発生タイミングに基づいて複数の照明装置２０の設置位置を推定することができる。
【００７３】
また、閉空間９０内に、座席が設置されたエリアと通路として使用されるエリアとが含まれる場合が考えられる。図１８は、このような閉空間９０を示す模式図である。このようなシチュエーションにおいては、推定部１５は、フェージングの発生頻度に基づいて照明装置２０の設置位置を推定することができる。
【００７４】
上述のように人が頻繁に通りかかかる通路として使用されるエリアにおいてはフェージングの発生頻度は高い。一方、座席が設置されたエリアは、人の動きが少ないためフェージングの発生頻度が低い。
【００７５】
したがって、推定部１５は、複数の照明装置２０のそれぞれについてフェージングの発生頻度を検出し、検出された頻度に基づいて、複数の照明装置２０の設置位置を推定することができる。例えば、フェージング頻度が比較的高い（所定頻度よりも高い）照明装置２０は、通路として使用されるエリアの上方に設置されていると推定される。また、例えば、フェージング頻度が比較的低い（所定頻度以下である）照明装置２０は、座席が設置されたエリアの上方に設置されていると推定される。
【００７６】
また、推定部１５は、フェージングの発生前後における受信信号強度のレベル差が閾値以上になる頻度に基づいて、複数の照明装置２０の設置位置を推定することもできる。
【００７７】
上述のように、座席が設置されたエリアでは、人が滞在している状態、人が不在の状態が頻繁に切り替わると考えられる。つまり、フェージングの発生前後における受信信号強度のレベル差が閾値以上になる頻度は高い。一方、通路として使用されるエリアは、人が移動していることが多いため、フェージングの発生前後における受信信号強度のレベル差が閾値以上になる頻度は低い。
【００７８】
したがって、推定部１５は、複数の照明装置２０のそれぞれについて、フェージングの発生前後における受信信号強度のレベル差が閾値以上になる頻度を検出し、検出された頻度に基づいて、複数の照明装置２０の設置位置を推定することができる。例えば、フェージングの発生前後における受信信号強度のレベル差が閾値以上になる頻度が比較的高い（所定頻度よりも高い）照明装置２０は、座席が設置されたエリアの上方に設置されていると推定される。また、例えば、フェージングの発生前後における受信信号強度のレベル差が閾値以上になる頻度が比較的低い（所定頻度以下である）照明装置２０は、通路として使用されるエリアの上方に設置されていると推定される。
【００７９】
以上説明したように、照明システム１００は、フェージングの発生タイミング、フェージングの発生頻度、または、レベル差が閾値よりも大きくなる頻度に基づいて複数の照明装置２０の設置位置を推定することができる。
【００８０】
［効果等］
以上説明したように、照明システム１００は、閉空間９０に設置された複数の照明装置２０のそれぞれと電波通信を行う無線通信部１１と、複数の照明装置２０のそれぞれとの電波通信によって得られる受信信号強度に基づいて、閉空間９０に含まれる複数のエリアそれぞれにおける人の滞在状況を推定する推定部１５とを備える。照明システム１００は、通信システムの一例であり、照明装置２０は、通信機器の一例であり、閉空間９０は、空間の一例である。
【００８１】
このような照明システム１００は、照明装置２０が有する無線通信機能を利用して、閉空間９０に含まれる複数のエリアそれぞれにおける人の滞在状況を推定することができる。
【００８２】
また、例えば、推定部１５は、無線通信部１１と複数の照明装置２０のうちの１つの照明装置２０との電波通信によって得られる前記受信信号強度の振れ幅が基準振れ幅よりも大きくなる期間においては、複数のエリアのうち当該１つの照明装置２０の周辺に位置するエリアにおいて人が移動していると推定する。
【００８３】
このような照明システム１００は、閉空間９０内における人の移動を推定することができる。
【００８４】
また、例えば、推定部１５は、無線通信部１１と複数の照明装置２０のうちの１つの照明装置２０との電波通信によって得られる受信信号強度の振れ幅が基準振れ幅よりも大きくなる期間を特定し、かつ、特定された期間の前後における受信信号強度のレベル差が閾値よりも大きい場合には、複数のエリアのうち当該１つの照明装置２０の周辺に位置するエリアにおいて人が滞在していると推定する。
【００８５】
このような照明システム１００は、閉空間９０内における人の滞在（静止）を推定することができる。
【００８６】
また、例えば、推定部１５は、人の滞在状況として、複数のエリアそれぞれにおける人の混雑状況を推定する。
【００８７】
このような照明システム１００は、閉空間９０内における人の混雑状況を推定することができる。
【００８８】
また、例えば、照明システム１００は、さらに、推定された人の滞在状況を示す情報を情報提供システム４０へ送信するための通信部１３を備える。情報提供システム４０は、通信部１３によって送信された当該情報を受信し、当該情報を情報端末５０に提供する。
【００８９】
このような照明システム１００は、人の滞在状況を示す情報を、情報提供システム４０を介して情報端末５０に提供することができる。
【００９０】
また、例えば、照明システム１００は、さらに、複数のエリアの少なくとも１つにおける人の滞在状況の通知を行う通知部１６を備える。この通知は、例えば、閉空間９０内に位置する人（例えば、店舗に入ってきた人）への通知である。
【００９１】
このような照明システム１００は、人の滞在状況の通知を行うことができる。
【００９２】
また、例えば、複数の照明装置２０のそれぞれは、閉空間９０に設置された照明装置である。通知部１６は、複数のエリアのうち推定部１５によって人が滞在していないと推定されるエリアを照明する照明装置２０である第一照明装置を制御することにより通知を行う。上記制御は、第一照明装置を、複数のエリアのうち推定部１５によって人が滞在していると推定されるエリアを照明する照明装置２０である第二照明装置と異なる態様で発光させる、または、第一照明装置を消灯する制御である。
【００９３】
このような照明システム１００は、閉空間９０に設置された照明装置２０の発光または照明装置の消灯により、人の滞在状況の通知を行うことができる。
【００９４】
また、例えば、通知部１６は、第一照明装置が複数存在する場合に、所定の優先順位に基づいて複数の第一照明装置のうちの一部に対して上記制御を行う。
【００９５】
このような照明システム１００は、優先順位に基づいて絞り込まれた照明装置２０の発光または照明装置の消灯により、人の滞在状況の通知を行うことができる。
【００９６】
また、例えば、所定の優先順位は、複数の照明装置２０の位置関係に基づいて定められる。
【００９７】
このような照明システム１００は、複数の照明装置２０の位置関係に基づいて絞り込まれた照明装置２０の発光または照明装置の消灯により、人の滞在状況の通知を行うことができる。
【００９８】
また、例えば、通知部１６は、第一照明装置が複数存在する場合に、無線通信部１１と複数の照明装置２０のうち特定の照明装置２０との電波通信によって得られる受信信号強度の振れ幅が基準振れ幅よりも大きくなるタイミングを検出し、複数の第一照明装置のうち上記タイミングに最も近いタイミングで受信信号強度の振れ幅が基準振れ幅よりも大きくなる第一照明装置に対して上記制御を行う。
【００９９】
このような照明システム１００は、特定の照明装置２０の近くに位置する照明装置２０の発光または照明装置の消灯により、人の滞在状況の通知を行うことができる。
【０１００】
また、例えば、推定部１５は、さらに、複数の照明装置２０のそれぞれについて、無線通信部１１と当該照明装置２０との電波通信によって得られる受信信号強度の振れ幅が基準振れ幅よりも大きくなるタイミングを検出し、検出されたタイミングに基づいて、複数の照明装置２０の設置位置を推定する。
【０１０１】
このような照明システム１００は、フェージングの発生タイミングに基づいて、複数の照明装置２０の設置位置を推定することができる。
【０１０２】
また、例えば、推定部１５は、さらに、複数の照明装置２０のそれぞれについて、無線通信部１１と当該照明装置２０との電波通信によって得られる受信信号強度の振れ幅が基準振れ幅よりも大きくなる頻度を検出し、検出された頻度に基づいて、複数の照明装置２０の設置位置を推定する。
【０１０３】
このような照明システム１００は、フェージングの発生頻度に基づいて、複数の照明装置２０の設置位置を推定することができる。
【０１０４】
また、例えば、推定部１５は、さらに、複数の照明装置２０のそれぞれについて、無線通信部１１と当該照明装置２０との電波通信によって得られる受信信号強度の振れ幅が基準振れ幅よりも大きくなる期間の前後における受信信号強度のレベル差が閾値よりも大きくなる頻度を検出し、検出された頻度に基づいて、複数の照明装置２０の設置位置を推定する。
【０１０５】
このような照明システム１００は、受信信号強度のレベル差が大きくなる頻度に基づいて、複数の照明装置２０の設置位置を推定することができる。
【０１０６】
また、例えば、閉空間９０は、複数の座席が設置された、店舗内の閉空間である。
【０１０７】
このような照明システム１００は、照明装置２０が有する無線通信機能を利用して、店舗内の閉空間９０に含まれる複数のエリアそれぞれにおける人の滞在状況を推定することができる。
【０１０８】
また、例えば、照明システム１００などのコンピュータによって実行される推定方法は、閉空間９０に設置された複数の照明装置２０のそれぞれと電波通信を行い、複数の照明装置２０のそれぞれとの電波通信によって得られる受信信号強度に基づいて、閉空間に含まれる複数のエリアそれぞれにおける人の滞在状況を推定する。
【０１０９】
このような推定方法は、照明装置２０が有する無線通信機能を利用して閉空間９０に含まれる複数のエリアそれぞれにおける人の滞在状況を推定することができる。
【０１１０】
（実施の形態２）
［構成］
実施の形態２では、情報提供システム４０の動作について説明する。情報提供システム４０は、インターネット８０を介して、複数の照明システム１００から当該照明システム１００が利用される閉空間９０における人の混雑状況の情報を収集することができる。図１９は、このような情報提供システム４０の機能構成を示すブロック図である。
【０１１１】
例えば、複数の照明システム１００のそれぞれが店舗で利用される場合、情報提供システム４０は、各店舗の混雑状況を収集し、情報端末５０へ提供することができる。
【０１１２】
［動作］
以下、このような情報提供システム４０の動作について説明する。図２０は、情報提供システム４０の動作のフローチャートである。
【０１１３】
まず、受信部４４は、複数の照明システム１００のそれぞれから、当該照明システム１００が設置された店舗の混雑状況を示す情報を受信する（Ｓ４１）。実施の形態１で説明したように、照明システム１００は、店舗内の閉空間９０に含まれる複数のエリアのそれぞれに人が滞在しているか否かを推定することができる。照明システム１００は、店舗内の混雑状況を示す情報として、店舗内に滞在する人の推定人数、または、店舗内の空き座席の数などを、混雑状況を示す情報として情報提供システム４０に提供することができる。なお、混雑状況を示す情報には、店舗の識別情報が含まれる。
【０１１４】
次に、情報処理部４２は、受信された店舗の混雑状況を示す情報に基づいて、当該店舗の混雑状況を、曜日、及び、時間帯と対応付けて記憶部４３に記憶する（Ｓ４２）。
【０１１５】
次に、情報処理部４２は、受信された店舗の混雑状況を示す情報に基づいて、複数の店舗の少なくとも一部の混雑状況を情報端末５０に提供する（Ｓ４３）。情報処理部４２は、例えば、情報端末５０からの要求などに応じて、混雑状況を示す画像情報を通信部４１に情報端末５０へ送信させる。この結果、情報端末５０の表示部５１には、店舗の混雑状況を示す画像が表示される。図２１は、店舗の混雑状況を示す画像の一例を示す図である。
【０１１６】
また、情報提供システム４０は、店舗の混雑状況を情報端末５０にプッシュ通知してもよい。この場合、例えば、情報端末５０のユーザは、好みの店舗をあらかじめ登録しておく。つまり、記憶部４３に情報端末５０のユーザが指定する店舗の識別情報があらかじめ記憶される。情報処理部４２は、記憶部４３を参照することにより、ユーザが指定する店舗が空いていると判定した場合に、情報端末５０に通知を行うことができる。図２２は、店舗の混雑状況がプッシュ通知されたときの情報端末５０の画面の一例を示す図である。
【０１１７】
［効果等］
以上説明したように、情報提供システム４０は、複数の照明システム１００のそれぞれから、当該照明システム１００が設置された店舗の混雑状況を示す情報を受信する受信部４４と、受信された店舗の混雑状況を示す情報に基づいて、複数の店舗の少なくとも一部の混雑状況を情報端末５０に提供する情報処理部４２とを備える。複数の照明システム１００のそれぞれは、店舗の中に設置された複数の照明装置２０のそれぞれと電波通信を行う無線通信部１１と、複数の照明装置２０のそれぞれとの電波通信によって得られる受信信号強度に基づいて、店舗の中における人の混雑状況を推定する推定部１５と、推定された人の混雑状況を示す情報を送信する通信部１３とを備える。
【０１１８】
このような情報提供システム４０は、店舗の混雑状況を管理し、情報端末５０に提供することができる。
【０１１９】
また、例えば、情報提供システム４０は、さらに、受信された店舗の混雑状況を示す情報に基づいて、当該店舗の混雑状況を、曜日、及び、時間帯と対応付けて記憶する記憶部４３を備える。
【０１２０】
このような情報提供システム４０は、店舗の混雑状況を、曜日及び時間帯ごとに管理することができる。このような情報提供システム４０は、店舗の混雑状況の統計情報（特定の時間帯に混雑しやすい、など）を提供することができる。
【０１２１】
また、例えば、記憶部４３には、さらに、情報端末５０のユーザが指定する店舗の識別情報が記憶される。情報処理部４２は、記憶部４３を参照することにより、ユーザが指定する店舗が空いていると判定した場合に、情報端末５０に通知を行う。
【０１２２】
このような情報提供システム４０は、ユーザが指定する店舗が空いているときに、その旨をユーザの情報端末５０に通知することができる。
【０１２３】
（その他の実施の形態）
以上、実施の形態（実施の形態１及び２）について説明したが、本発明は、上記実施の形態に限定されるものではない。
【０１２４】
例えば、上記実施の形態では、照明システムは店舗で用いられたが、店舗以外の他の施設で用いられてもよい。例えば、照明システムは市役所で用いられてもよい。市役所の中の複数のエリアにおける人の滞在状況が通知されれば、通知を受けたユーザは、市役所が空いているときに市役所を訪問することができる。また、照明システムは、博物館などの展示場で用いられてもよい。展示場の中の複数のエリアにおける人の滞在状況が通知されれば、通知を受けたユーザは、空いているエリアを優先的に訪れることができ、展示場の混雑が緩和される。
【０１２５】
また、上記実施の形態の照明システムは、通信システムの一例である。通信システムは、照明装置以外の通信機器を複数備えるシステムであってもよい。通信システムは、例えば、人の滞在状況を推定するための専用の通信機器を複数備えるシステムであってもよいし、無線通信機能を備える空調機器を複数備える空調システムであってもよい。また、通信システムは、単一の装置によって実現されてもよい、複数の装置によって実現されてもよい。
【０１２６】
また、上記実施の形態では、照明システムが、人が不在である状況（空き座席）を通知する例について説明されたが、照明システムは、人の滞在状況を通知すればよい。つまり、照明システムは、人が滞在している状況を通知してもよいし、人が移動中であることを通知してもよい。また、通知に照明装置が用いられることは必須ではない。通知には、例えば、閉空間に設置されたスピーカなどの照明装置以外の機器が用いられてもよい。
【０１２７】
また、上記実施の形態において、受信信号強度は、照明装置によって計測されたが、照明制御装置によって計測されてもよい。つまり、複数の照明装置のそれぞれが受信信号強度の計測用の電波を照明制御装置に送信し、照明制御装置が受信した電波の受信信号強度を計測してもよい。
【０１２８】
また、上記実施の形態では、照明制御装置は、照明装置としての機能を有していなかったが、照明制御装置は、照明装置としての機能（光源など）を有していてもよい。言い換えれば、複数の照明装置のうちの１つが照明制御装置としての機能を有していてもよい。
【０１２９】
また、上記実施の形態で説明した装置間の通信方法は、一例である。装置間の通信方法については特に限定されるものではない。装置間で行われる無線通信は、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信などである。
【０１３０】
また、上記実施の形態において、特定の処理部が実行する処理を別の処理部が実行してもよい。また、複数の処理の順序が変更されてもよいし、複数の処理が並行して実行されてもよい。
【０１３１】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３２】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１３３】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、照明制御装置として実現されてもよいし、人の滞在状況の推定方法として実現されてもよい。また、本発明は、人の滞在状況の推定方法をコンピュータに実行させるためのプログラムとして実現されてもよいし、このようなプログラムが記録されたコンピュータ読み取り可能な非一時的な記録媒体として実現されてもよい。
【０１３４】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３５】
１１  無線通信部
１３  通信部
１５  推定部
１６  通知部
２０  照明装置
４０  情報提供システム
４２  情報処理部
４３  記憶部
４４  受信部
５０  情報端末
９０  閉空間（空間）
１００  照明システム（通信システム）
【図１】
2020194667.tif 000003
【図２】
2020194667.tif 000004
【図３】
2020194667.tif 000005
【図４】
2020194667.tif 000006
【図５】
2020194667.tif 000007
【図６】
2020194667.tif 000008
【図７】
2020194667.tif 000009
【図８】
2020194667.tif 000010
【図９】
2020194667.tif 000011
【図１０】
2020194667.tif 000012
【図１１】
2020194667.tif 000013
【図１２】
2020194667.tif 000014
【図１３】
2020194667.tif 000015
【図１４】
2020194667.tif 000016
【図１５】
2020194667.tif 000017
【図１６】
2020194667.tif 000018
【図１７】
2020194667.tif 000019
【図１８】
2020194667.tif 000020
【図１９】
2020194667.tif 000021
【図２０】
2020194667.tif 000022
【図２１】
2020194667.tif 000023
【図２２】
2020194667.tif 000024